(57)【特許請求の範囲】
【請求項１】
丸編により編成された靴下の所定の部位に締付力を付与するための締付部を表糸としてパイル糸を編み込んだ編地組織の編成により形成した靴下において、前記締付部は裏糸のみをタック編みすると共に、前記パイル糸を内側にループ状に突出させてなるパイル組織を構成する編地組織により形成され、前記締付部では所望する着圧が加わりサポート機能が得られると共に前記パイル組織によりソフト感のあるサポートを可能とし、前記締付部と周方向の反対側の部分では圧迫感を軽減することを特徴とする靴下。
【請求項２】
前記締付部は、裏糸タック編みの回数を増加させることにより締付力を高めることができ、且つ、締付部に所望する着圧が加えられることを特徴とする請求項１に記載の靴下。
【請求項３】
前記締付部は、裏糸タック編みの回数が異なる編地組織の組み合わせにより形成され、締付部内に加えられる着圧に圧力差を設けることを特徴とする請求項１又は請求項２に記載の靴下。
【請求項４】
前記締付部は、土踏まず部、ふくらはぎ部、足首部、甲側部その他の部位の少なくとも１つ又はそれらの組み合わせの部位に形成されていることを特徴とする請求項１乃至請求項３のいずれか１項に記載の靴下。
【発明の詳細な説明】
【技術分野】
【０００１】
本発明は、裏糸のみをタック編みすることにより、パイル靴下等において伸縮性をコントロールすることができ、靴下を着用したときに足の特定部位に所望する着圧が加えられるようにした靴下に関する。
【背景技術】
【０００２】
従来の靴下では、締め付け領域が強力締め付け領域と通常締め付け領域とに区分され、強力締め付け領域で土踏まずのアーチ構造をサポートし、通常締め付け領域により、締付け過ぎることなく圧迫感の少ない快適な状態を実現しようとしている。
しかし、足の断面形状は非均一となっているので、足部の周方向に均一な編み組織で形成された靴下を着用した場合、足の甲部分に大きな圧力がかかり、運動時に重要な役割を果たす土踏まず部分には所望する着圧が加わらず、十分なサポート機能が得られないという問題を有していた。
また、従来の靴下では、歩行時の足の運動パフォーマンス機能を高め、身体に負担の少ない安定した歩行を補助的に支援することが難しいという問題も有していた。
このような従来の靴下が有する問題を解決するために、以下に示すような先行技術が提案されている。
【０００３】
特許第４０４０６７１号公報（特許文献１）には、土踏まずを効果的にサポートすることにより、足の運動のパフォーマンス能力を高めことができ、且つ、疲労感を低減させることが可能な靴下を提供することを目的とし、編地組織により形成された靴下であって、足の甲から土踏まずに至る足の周方向にかけて、足甲部、土踏まず部、前記足甲部と前記土踏まず部とに連接される足側面部に区分された３つの領域を含み、前記靴下が着用されたときに、前記土踏まず部の締付力をＸとし、前記足側面部の締付力をＹとし、前記足甲部の締付力をＺとしたとき、Ｘ＞Ｙ＞Ｚとなるように、前記３つの領域の編地組織の編成が変えられ、前記土踏まず部のサポート方向は、足の縦方向でみて、前記土踏まず部から足首の方向に向けてサポートされるように、前記編地組織が編成されていることを特徴とする「靴下」が提案されている。
【０００４】
また、従来の他の靴下として、脚の複数の領域ごとに編組織を異ならせて編成されたハイソックスの例が、特開２００２−１３００５号公報（特許文献２）に記載されている。この従来のハイソックスは、略筒状体からなる脚部の前面脛部位は強圧の編組織からなり、一方脚部の背面ふくらはぎ部位は弱圧の編組織からなり、強圧の編組織と弱圧の編組織との間には中圧の編組織を有してなり、上記三段階の編組織によって伸長着用時に締付け着圧を付与して、脚における静脈流を促進しうるようにしたものである。
しかし、周方向に異なる着圧が生じるようにしている脚部については適切な血行促進性能が得られるように工夫がなされていたものの、足部については構造的に血行促進性能があまり考慮されておらず、足部に対する血行の促進が図れないことによって、靴下全体として血行促進効果が物足りないものになるという問題を有していた。
このような従来の靴下が有する問題を解決するために、以下に示すような先行技術が提案されている。
【０００５】
特開２００６−１０４５９９号公報（特許文献３）には、靴下足部にも着圧状態の異なる領域を複数適切に配置し、装着状態で脚及び足の部位に応じた適度の圧迫刺激を加えることができ、靴下装着部位全体にわたって強力な血行促進効果を与えられる靴下を提供することを目的とし、靴下をなす筒状編地が構造の異なる複数の編組織を靴下周方向に配置された状態に編成され、装着状態で各編組織ごとに異なる複数通りの着圧を生じさせることから、足及び脚の靴下装着部位に対し優れたフィット感を与える状態を確保しつつ、足及び脚の筋肉質部分やそうでない部分など性質の異なる各部位に対応した適切な着圧を付与でき、足及び脚各部を効率的に圧迫刺激して靴下装着部位全体の血行促進を図れ、スムーズな血流による疲労軽減等の効果をより顕著に発揮できることを特徴とする「靴下」が提案されている。
【先行技術文献】
【特許文献】
【０００６】
【特許文献１】特許第４０４０６７１号公報
【特許文献２】特開２００２−１３００５号公報
【特許文献３】特開２００６−１０４５９９号公報
【発明の概要】
【発明が解決しようとする課題】
【０００７】
本発明は、本願出願人が鋭意研究を行って開発に成功したものであり、先行技術には見られなかった裏糸のみをタック編みする編地組織に着目することにより、裏糸のみをタック編みする編地組織により形成されている締付部において所望する着圧が加わり十分なサポート機能が得られ、締付部以外では圧迫感を軽減することを可能とし、パイル靴下において伸縮性をコントロールすることができる靴下を提供することを目的とする。
【課題を解決するための手段】
【０００９】
上記課題を解決するために、請求項１に記載の発明は、丸編により編成された靴下の所定の部位に締付力を付与するための締付部を表糸としてパイル糸を編み込んだ編地組織の編成により形成した靴下において、前記締付部は裏糸のみをタック編みすると共に、前記パイル糸を内側にループ状に突出させてなるパイル組織を構成する編地組織により形成され、前記締付部では所望する着圧が加わりサポート機能が得られると共に前記パイル組織によりソフト感のあるサポートを可能とし、前記締付部と周方向の反対側の部分では圧迫感を軽減することを特徴とする。
【００１１】
また、請求項２に記載の発明は、請求項１に記載の前記締付部は、裏糸タック編みの回数を増加させることにより締付力を高めることができ、且つ、締付部に所望する着圧が加えられることを特徴とする。
【００１２】
また、請求項３に記載の発明は、請求項１又は請求項２に記載の前記締付部は、裏糸タック編みの回数が異なる編地組織の組み合わせにより形成され、締付部内に加えられる着圧に圧力差を設けることを特徴とする。
【００１３】
また、請求項４に記載の発明は、請求項１乃至請求項３に記載の前記締付部は、土踏まず部、ふくらはぎ部、足首部、甲側部その他の部位の少なくとも１つ又はそれらの組み合わせの部位に形成されていることを特徴とする。
【発明の効果】
【００１４】
以上のように、本発明にかかる靴下は、裏糸のみをタック編みすることにより、パイル組織を形成する編地組織を編成しながら、伸縮性をコントロールすることが可能になる。また、パイル靴下において、糸の種類や裏糸タック編みの回数により、組織の経方向の伸縮性をコントロールすることが可能になる。また、裏糸タック編みのパイル組織とそれ以外の編地組織とを複合させることにより、靴下全体の各部位における伸縮性をコントロールすることが可能になる。
【００１５】
また、本発明にかかる靴下の締付部は、裏糸のみをタック編みする編地組織により形成されているので、締付部では所望する着圧が加わり十分なサポート機能が得られ、締付部以外では圧迫感を軽減することが可能になる。このため、本発明にかかる靴下によれば、足の特定部位にピンポイントで任意の着圧が加えられるので、足の運動のパフォーマンス能力を高め、且つ、疲労感を低減させることができる。
また、本発明にかかる靴下の締付部は、裏糸タックの回数が増加するとタック側の着圧が高くなることから、足の特定部位ごとに裏糸タックの回数が異なる編地組織を形成して締付力の強弱をつけながら任意の着圧を加えることが可能になる。
また、本発明にかかる靴下の締付部は、裏糸タック編みの回数が異なる編地組織の組み合わせにより形成することができるので、締付部内に加えられる着圧に圧力差を設けることが可能になる。この場合は、締付部内における着圧コントロールを細分化することができる。
【図面の簡単な説明】
【００１６】
【図１】１回裏糸タックの編地組織の例を示す組織図である。
【図２】図１に示す編地組織の平面図である。
【図３】２回裏糸タックの編地組織の例を示す組織図である。
【図４】図３に示す編地組織の平面図である。
【図５】３回裏糸タックの編地組織の例を示す組織図である。
【図６】図５に示す編地組織の平面図である。
【図７】４回裏糸タックの編地組織の例を示す組織図である。
【図８】図７に示す編地組織の平面図である。
【図９】５回裏糸タックの編地組織の例を示す組織図である。
【図１０】図９に示す編地組織の平面図である。
【図１１】１回裏糸タック（ゴム糸挿入）の編地組織の例を示す組織図である。
【図１２】２回裏糸タック（ゴム糸挿入）の編地組織の例を示す組織図である。
【図１３】３回裏糸タック（ゴム糸挿入）の編地組織の例を示す組織図である。
【図１４】４回裏糸タック（ゴム糸挿入）の編地組織の例を示す組織図である。
【図１５】５回裏糸タック（ゴム糸挿入）の編地組織の例を示す組織図である。
【図１６】１回表裏糸同時タックの編地組織の例を示す組織図である。
【図１７】２回表裏糸同時タックの編地組織の例を示す組織図である。
【図１８】３回表裏糸同時タックの編地組織の例を示す組織図である。
【図１９】４回表裏糸同時タックの編地組織の例を示す組織図である。
【図２０】５回表裏糸同時タックの編地組織の例を示す組織図である。
【図２１】１回表裏糸同時タック（ゴム糸挿入）の編地組織の例を示す組織図である。
【図２２】２回表裏糸同時タック（ゴム糸挿入）の編地組織の例を示す組織図である。
【図２３】３回表裏糸同時タック（ゴム糸挿入）の編地組織の例を示す組織図である。
【図２４】４回表裏糸同時タック（ゴム糸挿入）の編地組織の例を示す組織図である。
【図２５】５回表裏糸同時タック（ゴム糸挿入）の編地組織の例を示す組織図である。
【図２６】パイル糸を編み込んだ１回裏糸タックの編地組織の例を示す組織図である。
【図２７】パイル糸を編み込んだ３回裏糸タックの編地組織の例を示す組織図である。
【図２８】パイル挿入編組織を形成する部位の第１例を示す説明図である。
【図２９】パイル挿入編組織を形成する部位の第２例を示す説明図である。
【図３０】パイル挿入編組織を形成する部位の第３例を示す説明図である。
【発明を実施するための形態】
【００１７】
以下、本発明の実施の一形態について、図面を参酌しながら説明する。
【００１８】
本発明にかかる靴下は、丸編により編成された筒状編地のうち足装着状態における踵及び爪先に対応する部分を縫製加工して靴下形状とするものであり、靴下としての形状については説明を省略する。
また、本発明にかかる靴下は、サッカー、テニス、ゴルフ、ウォーキングなどのスポーツ用靴下に適用されるものであり、これ以外にも、レディース靴下、メンズ靴下、カジュアル靴下およびビジネス靴下等にも幅広く適用され得る。
【００１９】
本発明は、裏糸のみをタック編みする編地組織に着目することにより、靴下を着用したときに足の特定部位に所望する着圧が加えられる靴下を提供することが可能になった。
ここで、タック編みとは、生地を編成する時に、一時ある編み目を作らないで、次のコースを編むときに一緒に編み目を作るもので、編針から編み目を脱出させないので針のフック又は針幹の前の編み目とともに保持し、次の給糸により編み目を形成する時に同時に２つの編み目をくぐって編糸を引き出して新しい編み目を作った組織のことをいう。また、タック編みを行う場合は、表糸１０と裏糸２０を同時にタックするのが一般的である（図１６乃至図２５参照）。
以下、裏糸タックの編地組織の実施例１〜５を挙げて具体的に説明する。なお、実施例では裏糸タックの回数が１〜５回のものについて順次説明するが、裏糸タックの回数はこれらの実施例に限定されるものではなく、６回以上であってもよい。
【００２０】
（実施例１）
図１は１回裏糸タックの編地組織の例を示す組織図、図２は図１に示す編地組織の平面図である。
本実施例の靴下は、土踏まず部、ふくらはぎ部、足首部、甲側部その他の部位の少なくとも１つ又はそれらの組み合わせの部位に締付力を付与するための締付部が形成されている。
上記の締付部は、裏糸２０のみを１回タック編みする編地組織により形成されている。具体的には、締付部は、図１及び図２に示すように、タック編み部分と平編み部分とから形成され、タック編み部分と平編み部分は、それぞれ針方向に１目おきに１目ずつ配置され、コース方向に１目おきに１目ずつ配置されている。
また、図１１は１回裏糸タック（ゴム糸挿入）の編地組織の例を示す組織図である。図示するように、編地の中にゴム糸３０を挿入することにより、ゴム糸３０の周方向に対する締付力が加わり上記編地組織の変化による着圧効果がより容易に得られる。
裏糸タックのみ（タック回数／１回）の効果については、後述する着圧測定結果（表２）に示すように、（Ａ）タック側の着圧（４３．２ｈｐａ）と（Ｂ）タック反対側の着圧（３４．２ｈｐａ）を比較すると差異（９．０ｈｐａ）がみられた。
一方、表裏糸同時タック（タック回数／１回）の編地組織（図２１参照）の場合には、後述する着圧測定結果（表１）に示すように、（Ａ）タック側の着圧（２６．９ｈｐａ）と（Ｂ）タック反対側の着圧（２６．９ｈｐａ）に差異（０ｈｐａ）はみられなかった。
以上より、例えば、靴下の土踏まず部において上記編地組織からなる締付部を形成した場合、運動時に重要な役割を果たす土踏まず部分には所望する着圧が加わり、締付部以外では圧迫感を軽減することが可能になる。
また、着圧測定結果（表２）に示すように、裏糸タックの回数が増加するとタック側の着圧が高くなることから、足の特定部位ごとに裏糸タックの回数が異なる編地組織を形成して締付力の強弱をつけながら任意の着圧を加えることが可能になる。
【００２１】
（実施例２）
図３は２回裏糸タックの編地組織の例を示す組織図、図４は図３に示す編地組織の平面図である。
本実施例の靴下は、上述した実施例１と同様に土踏まず部、ふくらはぎ部、足首部、甲側部その他の部位の少なくとも１つ又はそれらの組み合わせの部位に締付力を付与するための締付部が形成されている。
上記の締付部は、裏糸２０のみを２回タック編みする編地組織により形成されている。具体的には、締付部は、図３及び図４に示すように、タック編み部分と平編み部分とから形成され、タック編み部分と平編み部分は、それぞれ針方向に１目おきに１目ずつ配置され、コース方向に２目おきに２目ずつ配置されている。
また、図１２は２回裏糸タック（ゴム糸挿入）の編地組織の例を示す組織図である。図示するように、編地の中にゴム糸３０を挿入することにより、ゴム糸３０の周方向に対する締付力が加わり上記編地組織の変化による着圧効果がより容易に得られる。
裏糸タックのみ（タック回数／２回）の効果については、後述する着圧測定結果（表２）に示すように、（Ａ）タック側の着圧（４７．５ｈｐａ）と（Ｂ）タック反対側の着圧（３５．６ｈｐａ）を比較すると差異（１１．９ｈｐａ）がみられた。
一方、表裏糸同時タック（タック回数／２回）の編地組織（図２２参照）の場合には、後述する着圧測定結果（表１）に示すように、（Ａ）タック側の着圧（２８．６ｈｐａ）と（Ｂ）タック反対側の着圧（２８．６ｈｐａ）に差異（０ｈｐａ）はみられなかった。
以上より、上述した実施例１と同様に、例えば、靴下の土踏まず部において上記編地組織からなる締付部を形成した場合、運動時に重要な役割を果たす土踏まず部分には所望する着圧が加わり、締付部以外では圧迫感を軽減することが可能になる。
また、着圧測定結果（表２）に示すように、裏糸タックの回数が増加するとタック側の着圧が高くなることから、足の特定部位ごとに裏糸タックの回数が異なる編地組織を形成して締付力の強弱をつけながら任意の着圧を加えることが可能になる。
【００２２】
（実施例３）
図５は３回裏糸タックの編地組織の例を示す組織図、図６は図５に示す編地組織の平面図である。
本実施例の靴下は、上述した実施例１〜２と同様に土踏まず部、ふくらはぎ部、足首部、甲側部その他の部位の少なくとも１つ又はそれらの組み合わせの部位に締付力を付与するための締付部が形成されている。
上記の締付部は、裏糸２０のみを３回タック編みする編地組織により形成されている。具体的には、締付部は、図５及び図６に示すように、タック編み部分と平編み部分とから形成され、タック編み部分と平編み部分は、それぞれ針方向に１目おきに１目ずつ配置され、コース方向に３目おきに３目ずつ配置されている。
また、図１３は３回裏糸タック（ゴム糸挿入）の編地組織の例を示す組織図である。図示するように、編地の中にゴム糸３０を挿入することにより、ゴム糸３０の周方向に対する締付力が加わり上記編地組織の変化による着圧効果がより容易に得られる。
裏糸タックのみ（タック回数／３回）の効果については、後述する着圧測定結果（表２）に示すように、（Ａ）タック側の着圧（５６．９ｈｐａ）と（Ｂ）タック反対側の着圧（３５．９ｈｐａ）を比較すると大きな差異（２１．０ｈｐａ）がみられた。
一方、表裏糸同時タック（タック回数／３回）の編地組織（図２３参照）の場合には、後述する着圧測定結果（表１）に示すように、（Ａ）タック側の着圧（２９．３ｈｐａ）と（Ｂ）タック反対側の着圧（２９．３ｈｐａ）に差異（０ｈｐａ）はみられなかった。
以上より、上述した実施例１〜２と同様に、例えば、靴下の土踏まず部において上記編地組織からなる締付部を形成した場合、運動時に重要な役割を果たす土踏まず部分には所望する着圧が加わり、締付部以外では圧迫感を軽減することが可能になる。
また、着圧測定結果（表２）に示すように、裏糸タックの回数が増加するとタック側の着圧が高くなることから、足の特定部位ごとに裏糸タックの回数が異なる編地組織を形成して締付力の強弱をつけながら任意の着圧を加えることが可能になる。
【００２３】
（実施例４）
図７は４回裏糸タックの編地組織の例を示す組織図、図８は図７に示す編地組織の平面図である。
本実施例の靴下は、上述した実施例１〜３と同様に土踏まず部、ふくらはぎ部、足首部、甲側部その他の部位の少なくとも１つ又はそれらの組み合わせの部位に締付力を付与するための締付部が形成されている。
上記の締付部は、裏糸２０のみを４回タック編みする編地組織により形成されている。具体的には、締付部は、図７及び図８に示すように、タック編み部分と平編み部分とから形成され、タック編み部分と平編み部分は、それぞれ針方向に１目おきに１目ずつ配置され、コース方向に４目おきに４目ずつ配置されている。
また、図１４は４回裏糸タック（ゴム糸挿入）の編地組織の例を示す組織図である。図示するように、編地の中にゴム糸３０を挿入することにより、ゴム糸３０の周方向に対する締付力が加わり上記編地組織の変化による着圧効果がより容易に得られる。
裏糸タックのみ（タック回数／４回）の効果については、後述する着圧測定結果（表２）に示すように、（Ａ）タック側の着圧（５８．９ｈｐａ）と（Ｂ）タック反対側の着圧（３４．６ｈｐａ）を比較すると大きな差異（２４．３ｈｐａ）がみられた。
一方、表裏糸同時タック（タック回数／４回）の編地組織（図２４参照）の場合には、後述する着圧測定結果（表１）に示すように、（Ａ）タック側の着圧（３２．９ｈｐａ）と（Ｂ）タック反対側の着圧（２８．９ｈｐａ）に若干の差異（４．０ｈｐａ）がみられた。
以上より、上述した実施例１〜３と同様に、例えば、靴下の土踏まず部において上記編地組織からなる締付部を形成した場合、運動時に重要な役割を果たす土踏まず部分には所望する着圧が加わり、締付部以外では圧迫感を軽減することが可能になる。
また、着圧測定結果（表２）に示すように、裏糸タックの回数が増加するとタック側の着圧が高くなることから、足の特定部位ごとに裏糸タックの回数が異なる編地組織を形成して締付力の強弱をつけながら任意の着圧を加えることが可能になる。
【００２４】
（実施例５）
図９は５回裏糸タックの編地組織の例を示す組織図、図１０は図９に示す編地組織の平面図である。
本実施例の靴下は、上述した実施例１〜４と同様に土踏まず部、ふくらはぎ部、足首部、甲側部その他の部位の少なくとも１つ又はそれらの組み合わせの部位に締付力を付与するための締付部が形成されている。
上記の締付部は、裏糸２０のみを５回タック編みする編地組織により形成されている。具体的には、締付部は、図９及び図１０に示すように、タック編み部分と平編み部分とから形成され、タック編み部分と平編み部分は、それぞれ針方向に１目おきに１目ずつ配置され、コース方向に５目おきに５目ずつ配置されている。
また、図１５は５回裏糸タック（ゴム糸挿入）の編地組織の例を示す組織図である。図示するように、編地の中にゴム糸３０を挿入することにより、ゴム糸３０の周方向に対する締付力が加わり上記編地組織の変化による着圧効果がより容易に得られる。
裏糸タックのみ（タック回数／５回）の効果については、後述する着圧測定結果（表２）に示すように、（Ａ）タック側の着圧（６６．２ｈｐａ）と（Ｂ）タック反対側の着圧（３５．２ｈｐａ）を比較すると大きな差異（３１．０ｈｐａ）がみられた。
一方、表裏糸同時タック（タック回数／５回）の編地組織（図２５参照）の場合には、後述する着圧測定結果（表１）に示すように、（Ａ）タック側の着圧（３６．２ｈｐａ）と（Ｂ）タック反対側の着圧（３１．３ｈｐａ）に若干の差異（４．９ｈｐａ）がみられた。
以上より、上述した実施例１〜４と同様に、例えば、靴下の土踏まず部において上記編地組織からなる締付部を形成した場合、運動時に重要な役割を果たす土踏まず部分には所望する着圧が加わり、締付部以外では圧迫感を軽減することが可能になる。
また、着圧測定結果（表２）に示すように、裏糸タックの回数が増加するとタック側の着圧が高くなることから、足の特定部位ごとに裏糸タックの回数が異なる編地組織を形成して締付力の強弱をつけながら任意の着圧を加えることが可能になる。
【００２５】
また、本発明にかかる靴下の締付部は、上述した実施例１〜５に示すように同じ回数の裏糸タック編みの編地組織により形成されるものに限定されず、裏糸タック編みの回数が異なる編地組織の組み合わせ（図示省略）により形成してもよい。この場合、締付部内において加えられる着圧に圧力差を設けることが可能になり、締付部内における着圧コントロールを細分化することができる。また、この場合においても、編地の中にゴム糸を挿入することにより、ゴム糸の周方向に対する締付力が加わり上記編地組織の変化による着圧効果がより容易に得られることから、着圧を集中させる部分と分散させる部分の差をより顕著にすることができる。
【００２６】
次に、表糸としてパイル糸を編み込んだ靴下において、裏糸のみをタック編みすることにより、パイルを形成する靴下について説明する。
【００２７】
従来より、靴下の裏側に、パイルを形成したパイル靴下が知られている。例えば、底部裏側にパイルを形成した底パイル靴下は、それを着用して歩いたり或いは走ったりすると、足裏に掛かる衝撃が緩和され、足への負担が少なくなるという利点を持っている。また、足裏と靴下本体とがパイルを介して接触しているため、足裏からの発汗が、パイルの比較的大きい間隙中に蒸散され、足が蒸れにくく、また足の濡れ感が少なくなるという利点も有している。本発明にかかる靴下は、表糸としてパイル糸を編み込んだ靴下において、裏糸のみをタック編みすると共に、パイル糸をループ状に突出させてパイルを形成することにより、パイル組織を形成する編地組織を編成することが可能になる。また、パイル靴下において、糸の種類や裏糸タック編みの回数により、組織の経方向の伸縮性をコントロールすることが可能になる。また、裏糸タック編みのパイル組織とそれ以外の編地組織とを複合させることにより、靴下全体の各部位における伸縮性をコントロールすることが可能になる。
以下、パイル糸を編み込んだ裏糸タックの編地組織の実施例６〜７を挙げて具体的に説明する。なお、実施例では裏糸タックの回数が１回と３回のものについて説明するが、裏糸タックの回数はこれらの実施例に限定されるものではない。
【００２８】
（実施例６）
図２６は、パイル糸を編み込んだ１回裏糸タックの編地組織の例を示す組織図である。
本実施例の靴下は、上述した実施例１と同様に土踏まず部、ふくらはぎ部、足首部、甲側部その他の部位の少なくとも１つ又はそれらの組み合わせの部位にパイル挿入編組織（締付部）が形成されている。
上記のパイル挿入編組織は、表糸としてパイル糸１００を編み込んだ編地組織の編成により形成され、具体的には、裏糸１１０のみを１回タック編みすると共に、パイル糸１００を内側にループ状に突出させてパイル１２０を形成する編地組織により構成されている。
ここで、裏糸タックのみ（タック回数／１回）の効果については、上述した実施例１と同様の効果が得られる。
図２８は、パイル挿入編組織を形成する部位の第１例を示す説明図である。靴下の甲側部において上記編地組織からなるパイル挿入編組織２００を形成した場合、裏糸タックの編地組織を用いることにより、組織の動きが制約され、後述する着圧測定結果（表２）に示すように、その部位の圧迫が強調され、サポート効果を発現することが可能になる。また、靴下の裏面は、パイル組織となっているため、強力な圧迫にも係わらず、ソフト感のあるサポートとなる。
図２９は、パイル挿入編組織を形成する部位の第２例を示す説明図である。靴下の土踏まず部において上記編地組織からなるパイル挿入編組織２１０を形成した場合、裏糸タックの編地組織を用いることにより、組織の動きが制約され、後述する着圧測定結果（表２）に示すように、その部位の圧迫が強調され、サポート効果を発現することが可能になる。また、靴下の裏面は、パイル組織となっているため、強力な圧迫にも係わらず、ソフト感のあるサポートとなる。
図３０は、パイル挿入編組織を形成する部位の第３例を示す説明図である。靴下の足首部において上記編地組織からなるパイル挿入編組織２２０を形成した場合、裏糸タックの編地組織を用いることにより、組織の動きが制約され、足首部の周方向の均一なサポートが可能となり、またズレ落ち防止効果も発現することが可能になる。また、靴下の裏面は、パイル組織となっているため、強力な圧迫にも係わらず、ソフト感のあるサポートとなる。
【００２９】
（実施例７）
図２７は、パイル糸を編み込んだ３回裏糸タックの編地組織の例を示す組織図である。
本実施例の靴下は、上述した実施例３と同様に土踏まず部、ふくらはぎ部、足首部、甲側部その他の部位の少なくとも１つ又はそれらの組み合わせの部位にパイル挿入編組織（締付部）が形成されている。
上記のパイル挿入編組織は、表糸としてパイル糸１００を編み込んだ編地組織の編成により形成され、具体的には、裏糸１１０のみを３回タック編みすると共に、パイル糸１００を内側にループ状に突出させてパイル１２０を形成する編地組織により構成されている。
ここで、裏糸タックのみ（タック回数／３回）の効果については、上述した実施例３と同様の効果が得られる。また、裏糸タックの回数が増加するとタック側の着圧が高くなるので、締め付け力をパイルに分散させることによって締め付け感を緩和することが可能になる。
また、本発明にかかる靴下のパイル挿入編組織（締付部）は、上述した実施例６〜７に示すように同じ回数の裏糸タック編みの編地組織により形成されるものに限定されず、裏糸タック編みの回数が異なる編地組織の組み合わせ（図示省略）により形成してもよい。
【００３０】
本発明にかかる靴下の効果を確認するために行った試験方法及び結果について説明する。
（試験項目）着圧測定試験
（試験目的）裏糸のみをタック編みする編地組織が足部に加える着圧にどれ位の効果を発揮するかを検証することを目的とする。
（試験方法）表裏糸同時タック（タック回数／１回〜５回）と裏糸タックのみ（タック回数／１回〜５回）の各試料を製作し、円周３０ｃｍにおけるタック編み組織の部分とその反対側の部分の着圧を測定する。本試料は、表糸に綿アクリル混紡糸を使用し、裏糸にＦＴＹを使用し、編地の中にゴム糸を挿入している（図１１乃至図１５、図２１乃至図２５参照）。
（試験結果）表裏糸同時タック（タック回数／１回〜５回）の着圧測定結果（各４回測定結果の平均値）を表１に示す。裏糸タックのみ（タック回数／１回〜５回）の着圧測定結果（各４回測定結果の平均値）を表２に示す。なお、単位は、ｍｍ／Ｈｇをｈｐａに変換している。
【００３１】
【表１】
0005201516.tif 000002
【００３２】
【表２】
0005201516.tif 000003
【００３３】
表１に示すとおり、表裏糸同時タックの編地組織については、（Ａ）タック側と（Ｂ）タック反対側における着圧を比較してもあまり差異はみられなかった。また、タック回数を増加させた場合には、（Ａ）タック側の着圧は少し高まり、（Ｂ）タック反対側の着圧も若干高まることが確認できた。
【００３４】
表２に示すとおり、裏糸タックのみの編地組織については、（Ａ）タック側と（Ｂ）タック反対側における着圧を比較すると、大きな差異がみられた。また、タック回数を増加させた場合には、（Ａ）タック側の着圧はタック回数に比例して順次高くなり、一方、（Ｂ）タック反対側の着圧はほとんど変わらないことが確認できた。
【符号の説明】
【００３５】
１０  表糸
２０  裏糸
３０  ゴム糸
１００  パイル糸
１１０  裏糸
１２０  パイル
２００  パイル挿入編組織（締付部）
２１０  パイル挿入編組織（締付部）
２２０  パイル挿入編組織（締付部）
【図１】
0005201516.tif 000004
【図２】
0005201516.tif 000005
【図３】
0005201516.tif 000006
【図４】
0005201516.tif 000007
【図５】
0005201516.tif 000008
【図６】
0005201516.tif 000009
【図７】
0005201516.tif 000010
【図８】
0005201516.tif 000011
【図９】
0005201516.tif 000012
【図１０】
0005201516.tif 000013
【図１１】
0005201516.tif 000014
【図１２】
0005201516.tif 000015
【図１３】
0005201516.tif 000016
【図１４】
0005201516.tif 000017
【図１５】
0005201516.tif 000018
【図１６】
0005201516.tif 000019
【図１７】
0005201516.tif 000020
【図１８】
0005201516.tif 000021
【図１９】
0005201516.tif 000022
【図２０】
0005201516.tif 000023
【図２１】
0005201516.tif 000024
【図２２】
0005201516.tif 000025
【図２３】
0005201516.tif 000026
【図２４】
0005201516.tif 000027
【図２５】
0005201516.tif 000028
【図２６】
0005201516.tif 000029
【図２７】
0005201516.tif 000030
【図２８】
0005201516.tif 000031
【図２９】
0005201516.tif 000032
【図３０】
0005201516.tif 000033